(57)【要約】      （修正有）【課題】ロクロの回転盤と従前のカメ板の固定に、カメ板の正確な固定し、また再成形、修正時の再現性にも、時間を要しない陶芸用のロクロを使用して素地土（粘土）で陶芸作品を形成する過程のカメ板として使用する陶芸用ロクロ補助装置を提供する。【解決手段】陶芸用ロクロで陶芸作品１を成形する際、電動ロクロなどの本来の回転盤の上にカメ板固定具（親カメ板）３を固定接合し、さらにその上にカメ板（子カメ板）２を固定接合し、このカメ板（子カメ板）の上にて素地土で作品を成形する。カメ板固定用の粘土は使わずカメ板固定具（親カメ板）とロクロ回転盤４、カメ板（子カメ板）とカメ板固定具（親カメ板）のそれぞれの接点は摩擦抵抗体により固定接合し、脱着容易な陶芸用ロクロ補助装置。【選択図】図４
0003140927.tif 000002
【実用新案登録請求の範囲】
【請求項１】
陶芸作品を素地土で成形する作業過程で使う陶芸用ロクロにおいて、１個毎、個別に作品を成形するための素地土を載せるカメ板とロクロの本来の回転盤との中間に前述のカメ板を固定接合し回転力を伝えるカメ板固定具を設置して、カメ板、カメ板固定具共に取り付け、取り外しが簡単容易にできることを特徴とした陶芸用ロクロ補助装置。
【請求項２】
前項のカメ板は成形する作品の直径に対応した大きさであり、カメ板固定具との固定接合は同カメ板固定具の上面に凸部を設け、カメ板の取り付け、取り外しを容易にしたことを特徴とした請求項１に記述の陶芸用ロクロ補助装置。
【請求項３】
前々項、前項に記述のカメ板固定具とロクロ回転盤との接点、カメ板とカメ板固定具との接点はそれぞれ摩擦抵抗体による固定接合を完結、合体させ、取り付け、取り外しを容易ならしめ、その機能を発揮することを特徴とした請求項１に記述の陶芸用ロクロ補助装置。
【考案の詳細な説明】
【技術分野】
【０００１】
本考案は陶芸用ロクロを使用して素地土（粘土）で陶芸作品を成形する過程のカメ板に関するものである。
【背景技術】
【０００２】
陶芸用ロクロを使用して陶芸作品を成形する場合、カメ板を使わずに直にロクロの回転盤に１度に相当量の素地土（粘土）を載せて連続して中小規模の作品を作ることが多い。大物の壺や皿などは１個毎、個別に従来のカメ板上で成形し、その後乾燥場へカメ板と共に移動する。また、同じ作品を数多く作る場合も同様のカメ板を作品１個毎に１枚使用し成形する。等の作業目的で従来、木や合板で製作したカメ板を使用してきた。然し、ロクロ回転盤の上にカメ板を固定するにはカメ板固定用の粘土を使わなければならずカメ板の水平、芯出しに相当な熟練を要し、また同粘土は作品を成形する度に乾燥疲弊消耗する。また一旦成形した後、移動した作品を修正する場合、再度、カメ板ごと作品をロクロの元の位置に固定することは技術的に困難であること。等々、従前の技法の作業効率を改善する必要があった。
【考案の開示】
【考案が解決しようとする課題】
【０００３】
ロクロの回転盤にカメ板を固定するために粘土を使うことが問題であり、カメ板の正確な固定と再修正時の再現性に熟練を必要とし、技術の習得に相当の時間が要る。また、多くの作品を従前のカメ板を使い連続して成形すればカメ板固定用粘土の損耗とその再生労力も軽視できない。
【課題を解決するための手段】
【０００４】
陶芸作品を素地土（粘土）で成形する陶芸用ロクロにおいて、作品を成形するカメ板（子カメ板）と電動ロクロなどの本来の回転盤との間に前述の同カメ板（子カメ板）を固定し回転力を伝えるカメ板固定具（親カメ板）を設けて、取り付け、取り外しが簡単にできることとした陶芸用ロクロ補助装置を提案。また、カメ板（子カメ板）とカメ板固定具（親カメ板）との固定接合は同カメ板固定具（親カメ板）の上面に凸部を設け、前述同様にカメ板（子カメ板）の取り付け、取り外しを容易にした提案。カメ板固定具（親カメ板）とロクロ回転盤との接点、カメ板（子カメ板）とカメ板固定具（親カメ板）との接点はそれぞれ複数の摩擦抵抗体による固定接合を完結、固定させ取り付け、作品の成形後の取り外しをも容易ならしめ、その機能を発揮させることを提案。
【考案の効果】
【０００５】
従来のロクロ作業性、技術その他について背景技術の項で記述した現状に対して本考案により次の改善効果が期待できる。１）ロクロ回転盤に摩擦抵抗体を装備したカメ板固定具
（親カメ板）を固定接合し、同じようにカメ板固定具（親カメ板）に摩擦抵抗体を装備したカメ板（子カメ板）を固定接合する。その結果いとも簡単にカメ板（子メ板）が安定的に固定され、即、作品の成形作業に取りかかることができる。またカメ板（子カメ板）を数多く用意しておけば連続、繰り返し作品を安定的に成形することができる。カメ板固定具（親カメ板）は１枚用意すればよく、作業終了後の取り外しも容易である。従って、従来のロクロ作業に比して著しく高効率な効果を得ることができる。２）ロクロ回転盤とカメ板の固定用の粘土を使わなくて済み経済的である。３）作品成形後、作業の都合上一旦移動した作品を再度成形する場合、カメ板（子カメ板）ごと作品をカメ板固定具（親カメ板）の元の位置に確実に固定することができる。４）副次的な効果としてカメ板固定具（親カメ板）と同じ規模のカメ板を使って数多くの作品を作る場合に比べてカメ板（子カメ板）が極端に小さいため相当数のカメ板を用意しても工房のスペースに余裕が生まれる。
【考案を実施するための最良の形態】
【０００６】
図面を参照し符号に準拠しながら実施例を説明する。図１図２はカメ板（従来）を使用した陶芸ロクロの状況であり、図１は平面図、図２は断面図である。４はロクロ（電動ロクロ、手回しロクロ、蹴ロクロ）の回転盤である。９はカメ板（従来型）で通常形状は８角形、裏側には２本の桟１０が平行に取り付けられ一体化されており、合板もしくは木で作られている。ロクロ回転盤４の上にカメ板固定用粘土１１を乗せほぼ平らにしてカメ板９を置く。カメ板９を適当な力で押し付けながら粘土１１の粘着力を利用し芯と水平を出して位置決め固定しロクロ回転盤４と一体化する。カメ板９の上に載せられた成形用の粘土はロクロから与えられた回転力により陶作者の手を経て作品１が生まれる。出来た作品１はカメ板９ごと固定用粘土１１から持ち上げられ乾燥場へ移される。順次、作品を成形すべく新しいカメ板９が固定用粘土１１の上に位置決め固定される。複数回カメ板を取り換える毎に固定用粘土１１は疲弊し粘着力が落ちるので取り換えが必要となる。次に本提案の実施例を説明する。図３は平面図、図４は断面図である。ロクロ回転盤４（電動ロクロ、手回しロクロ、蹴ロクロ）の上に摩擦抵抗体６ａ、６ｂ、６ｃ、６ｄを装備したカメ板固定具３（親カメ板）が載り、ロクロ回転盤４の側面と摩擦抵抗体６ａ、６ｂ、６ｃ、６ｄとの間に生ずる摩擦抵抗固定部８ａ、８ｂ、８ｃ、８ｄにより回転力をロスなく伝達し、ロクロ回転盤４とカメ板固定具３（親カメ板）は一体化する。尚、ロクロ回転盤４の側面とカメ板固定具３（親カメ板）の摩擦抵抗体６ａ、６ｂ、６ｃ、６ｄの摩擦抵抗固定部８ａ、８ｂ、８ｃ、８ｄは随時、脱着でき、且つ回転力を伝達するに適当な緊密度を確保する寸法公差で製作してある。次は目的のカメ板の設定。カメ板固定具３（親カメ板）の上に摩擦抵抗体５ａ、５ｂ、５ｃ、５ｄを装備したカメ板２（子カメ板）が載り、カメ板固定具３（親カメ板）の凸部側面と摩擦抵抗体５ａ、５ｂ、５ｃ、５ｄとの間に生ずる摩擦抵抗固定部７ａ、７ｂ、７ｃ、７ｄにより回転力をロスなく伝達し、カメ板固定具３（親カメ板）とカメ板２（子カメ板）は一体化する。尚、カメ板固定具３（親カメ板）の凸部側面とカメ板２（子カメ板）の摩擦抵抗体５ａ、５ｂ、５ｃ、５ｄの摩擦抵抗固定部７ａ、７ｂ、７ｃ、７ｄは随時、脱着でき、且つ回転力を伝達するに適当な緊密度を確保する寸
法公差で製作してある。かくしてカメ板２は簡便に、安定的に、位置決め固定され、且つ、カメ板固定用粘土不要で連続的に作品１他が成形されたのである。
【産業上の利用可能性】
【０００７】
本考案は陶業に係るもののうち陶芸用ロクロを使用して素地土（粘土）で陶芸作品を成形するものである。
【図面の簡単な説明】
【０００８】
【図１】：従来の陶芸用ロクロ装置１例の平面図
【図２】：従来の陶芸用ロクロ装置１例の断面図（Ａ―Ａ矢視）
【図３】：本提案の陶芸用ロクロ補助装置１例の平面図
【図４】：本提案の陶芸用ロクロ補助装置１例の断面図（Ｂ―Ｂ矢視）
【符号の説明】
【０００９】
１：成形作品の例
２：カメ板（子カメ板）
３：カメ板固定具（親カメ板）
４：ロクロ回転盤
５ａ〜５ｄ：カメ板（子カメ板）固定用摩擦抵抗体
６ａ〜６ｄ：カメ板固定具（親カメ板）固定用摩擦抵抗体
７ａ〜７ｄ：カメ板（子カメ板）摩擦抵抗固定部
８ａ〜８ｄ：カメ板固定具（親カメ板）摩擦抵抗固定部
９：カメ板（従来型）
１０：カメ板桟木
１１：カメ板固定用粘土
【図１】
0003140927.tif 000003
【図２】
0003140927.tif 000004
【図３】
0003140927.tif 000005
【図４】
0003140927.tif 000006